(57)【要約】【課題】  商品陳列棚に取り付けたときに、カードの記載情報の視認性の向上を図ることができるポップケースを提供する。【解決手段】  商品情報が記載されたカードを保持するカード保持部Ａと、商品陳列棚に着脱自在に取り付けられる取付部Ｂ１，Ｂ２と、カード保持部Ａと取付部Ｂ１，Ｂ２との間に設けられ、取付部Ｂ１，Ｂ２に対してカード保持部Ａを上下方向に揺動可能に連結する連結部Ｃと、カード保持部Ａと取付部Ｂ１，Ｂ２とのうちのいずれか一方から他方に向かって突出して設けられ、取付部Ｂ１，Ｂ２が商品陳列棚に取り付けられた状態のときにカード保持部Ａがその上端よりも下端の方が前方の位置となって傾斜するようにカード保持部Ａを支持する突出部Ｄと、を備えている。【選択図】  図１
0003216971.tif 000002
【実用新案登録請求の範囲】
【請求項１】
商品情報が記載されたカードを保持するカード保持部と、
商品陳列棚に着脱自在に取り付けられる取付部と、
前記カード保持部と前記取付部との間に設けられ、前記取付部に対して前記カード保持部を上下方向に揺動可能に連結する連結部と、
前記カード保持部と前記取付部とのうちのいずれか一方から他方に向かって突出して設けられ、前記取付部が前記商品陳列棚に取り付けられた状態のときに前記カード保持部がその上端よりも下端の方が前方の位置となって傾斜するように前記カード保持部を支持する突出部と、
を備えたポップケース。
【請求項２】
前記取付部は、
前記商品陳列棚にその前端に沿って溝が設けられている場合に、前記溝に差し込み可能な垂直板部を有して構成された、
請求項１に記載のポップケース。
【請求項３】
前記取付部は、
前記商品陳列棚にその前端に沿って上方に突出する縁部または水平な棒状部材が設けられている場合に、前記縁部または前記棒状部材に取り付け可能に構成された、
請求項１に記載のポップケース。
【請求項４】
前記取付部を２つ備え、
一方の前記取付部は、
前記商品陳列棚にその前端に沿って溝が設けられている場合に、前記溝に差し込み可能な垂直板部を有して構成され、
他方の前記取付部は、
前記垂直板部と、
前記垂直板部の上端から前方へ延びて前記連結部につながる水平板部と、
前記水平板部の前方寄り部分から下方へ延びて設けられ、前記商品陳列棚にその前端に沿って上方に突出する縁部または水平な棒状部材が設けられている場合に、前記水平板部の直下において前記垂直板部の前面との間で前記縁部または前記棒状部材を保持するための取付保持部とを有して構成された、
請求項１に記載のポップケース。
【請求項５】
前記突出部は、
前記カード保持部から前記他方の取付部に向かって突出して設けられ、２つのうちのいずれかの前記取付部が前記商品陳列棚に取り付けられた状態のときに前記取付保持部と当接するよう構成された、
請求項４に記載のポップケース。
【考案の詳細な説明】
【技術分野】
【０００１】
本考案は、商品陳列棚に取り付けられるポップケース（ＰＯＰケース）に関する。
【背景技術】
【０００２】
店舗等の商品陳列棚にはポップケースが取り付けられる場合が多い。ポップケースには、価格、商品名等の商品情報が記載されたカードが保持されている。
【０００３】
特許文献１には、第１部材と、第１部材の上に積層され固着されるもので、左右上下の各端の少なくともいずれかから他の部材を挿入可能な開口部を備えた第２部材と、第２部材の上に積層され固着される第３部材と、第３部材の上に積層され固着されるもので、カードを挿入可能な開口部を備えた第４部材と、第４部材の上に積層され固着されるもので、カードを外部から目視可能とする開口部と該カードを支持する支持部とを備えた第５部材と、を備え、第１乃至第３部材の積層関係により他の部材を挿入し嵌合可能とする嵌合部を形成し、第３乃至第５部材の積層関係によりカードを挿入し目視可能に支持する挿入支持部を形成することを特徴とするポップケースが開示されている。
【先行技術文献】
【特許文献】
【０００４】
【特許文献１】実用新案登録第３２０６３７２号公報
【考案の概要】
【考案が解決しようとする課題】
【０００５】
上記特許文献１では、ポップケースを商品陳列棚に取り付けたときに、顧客がカードの記載情報を見やすくすることについては十分な考慮がなされていない。
【０００６】
本考案は上記のような課題を解決するためになされたもので、商品陳列棚に取り付けたときに、カードの記載情報の視認性の向上を図ることができるポップケースを提供することを目的としている。
【課題を解決するための手段】
【０００７】
上記目的を達成するために、本考案のある態様に係るポップケースは、商品情報が記載されたカードを保持するカード保持部と、商品陳列棚に着脱自在に取り付けられる取付部と、前記カード保持部と前記取付部との間に設けられ、前記取付部に対して前記カード保持部を上下方向に揺動可能に連結する連結部と、前記カード保持部と前記取付部とのうちのいずれか一方から他方に向かって突出して設けられ、前記取付部が前記商品陳列棚に取り付けられた状態のときに前記カード保持部がその上端よりも下端の方が前方の位置となって傾斜するように前記カード保持部を支持する突出部と、を備えている。
【０００８】
このようなポップケースを陳列棚に取り付けたとき、顧客は、通常、斜め上方からカード保持部に保持されたカードを見ることが多い。上述のような突出部を備えていることによりカード保持部を傾斜させることができ、カード保持部が垂直な状態に比べ、カードの記載情報を見やすくできる。よって、カードの記載情報の視認性の向上を図ることができる。また、連結部によって、取付部に対してカード保持部が上下方向に揺動可能に連結されていることにより、商品陳列棚の前端面に、例えば商品に関する情報のバーコードが貼付されている場合に、店員等がカード保持部を手で上方へ揺動（回動）させて、バーコードリーダを用いてバーコードの情報を容易に読み取ることができる。
【０００９】
また、前記取付部は、前記商品陳列棚にその前端に沿って溝が設けられている場合に、前記溝に差し込み可能な垂直板部を有して構成されていてもよい。
【００１０】
前記取付部は、前記商品陳列棚にその前端に沿って上方に突出する縁部または水平な棒状部材が設けられている場合に、前記縁部または前記棒状部材に取り付け可能に構成されていてもよい。
【００１１】
また、前記取付部を２つ備え、一方の前記取付部は、前記商品陳列棚にその前端に沿って溝が設けられている場合に、前記溝に差し込み可能な垂直板部を有して構成され、他方の前記取付部は、前記垂直板部と、前記垂直板部の上端から前方へ延びて前記連結部につながる水平板部と、前記水平板部の前方寄り部分から下方へ延びて設けられ、前記商品陳列棚にその前端に沿って上方に突出する縁部または水平な棒状部材が設けられている場合に、前記水平板部の直下において前記垂直板部の前面との間で前記縁部または前記棒状部材を保持するための取付保持部とを有して構成されていてもよい。
【００１２】
この構成によれば、上述のような２つの取付部を備えることにより、異なる種類の商品陳列棚に容易に取り付けることができ、汎用性を高めることができる。
【００１３】
また、前記突出部は、前記カード保持部から前記他方の取付部に向かって突出して設けられ、２つのうちのいずれかの前記取付部が前記商品陳列棚に取り付けられた状態のときに前記取付保持部と当接するよう構成されていてもよい。
【考案の効果】
【００１４】
本考案は、以上に説明した構成を有し、商品陳列棚に取り付けたときに、カードの記載情報の視認性の向上を図ることができるポップケースを提供することができるという効果を奏する。
【図面の簡単な説明】
【００１５】
【図１】図１は、本実施形態の一例のポップケースの斜視図である。
【図２】図２は、図１のポップケースの商品陳列棚への取り付け方法の一例を示す側面図である。
【図３】図３は、図１のポップケースの商品陳列棚への取り付け方法の他の例を示す側面図である。
【考案を実施するための形態】
【００１６】
以下、本考案の好ましい実施の形態を、図面を参照しながら説明する。なお、以下では全ての図面を通じて同一又は相当する要素には同一の参照符号を付して、その重複する説明を省略する。また、本考案は、以下の実施形態に限定されない。
【００１７】
（実施形態）
図１は、本実施形態の一例のポップケースの斜視図である。図２は、図１のポップケースの商品陳列棚への取り付け方法の一例を示す側面図である。図３は、図１のポップケースの商品陳列棚への取り付け方法の他の例を示す側面図である。
【００１８】
このポップケース１は、カード保持部Ａと、商品陳列棚に着脱自在に取り付けられる２つの取付部Ｂ１，Ｂ２と、カード保持部Ａと取付部Ｂ２とを連結する連結部Ｃと、突出部Ｄとを備えている。ポップケース１は、例えば合成樹脂で形成されている。
【００１９】
カード保持部Ａは、正面から視て長方形で略板状であり、前板部２と背板部４とを有し、前板部２と背板部４とが屈曲部分３を介して接続されている。前板部２と背板部４とが対向して配置され、これらの間に、価格等の商品情報が記載されたカード２０（図２参照）が挿入されることにより、カード保持部Ａにカード２０が保持される。ここで、カード２０の記載情報が見えるように、少なくとも前板部２は透明である。なお、カード保持部Ａは、カード２０を保持できれば、他の構成でもよい。例えば、前板部２と背板部４とが、屈曲部分３で接続されるのではなく、前板部２と背板部４との下端同士が他の部材を介して接続された構成でもよい。
【００２０】
２つの取付部Ｂ１，Ｂ２のうち一方の取付部Ｂ１は、例えば図２に示すように、商品陳列棚３０に、その前端近傍に前端に沿って直線状の垂直な溝３１が設けられている場合に、溝３１に差し込み可能な垂直な板状部である垂直板部６を有して構成されている。本例では、取付部Ｂ１は垂直板部６に加え、垂直板部６の中程から後方へ延びるストッパ部７を有している。この場合、垂直板部６が溝３１に差し込まれることにより、ポップケース１を商品陳列棚３０に取り付けることができる。このとき、ストッパ部７が商品陳列棚３０の表面に当接することにより、垂直板部６が所定の深さだけ溝３１に差し込まれる。また、本例では、垂直板部６が溝３１にしっかりとはめ込まれるように、垂直板部６に複数の線状の突部６ａが形成されている。
【００２１】
また、他方の取付部Ｂ２は、水平板部５と垂直板部６と取付保持部９とを有して構成されている。ここで、垂直板部６は、２つの取付部Ｂ１，Ｂ２に共用されている。水平板部５は、垂直板部６の上端から前方へ延びて連結部Ｃにつながるように設けられた水平な板状部である。取付保持部９は、水平板部５の前方寄り部分（ここでは前端部分）から下方へ延びて設けられている。この取付保持部９は、例えば図３に示すように、商品陳列棚４０に、その前端に上方へ突出する縁部４１または水平配置されたパイプのように水平な棒状部材４２が設けられている場合に、水平板部５の直下において垂直板部６の前面との間で、縁部４１または棒状部材４２を保持することが可能なように設けられている。
【００２２】
このようにして、取付部Ｂ２は、商品陳列棚４０の上方へ突出する縁部４１または水平な棒状部材４２に取付け可能に構成されている。取付部Ｂ２が縁部４１または棒状部材４２に取付けられることにより、ポップケース１を商品陳列棚４０に取り付けることができる。
【００２３】
また、取付部Ｂ１のストッパ部７には、外部部材保持部８がストッパ部７の後端部分から上方へ延びて設けられている。これにより、ストッパ部７の直上において外部部材保持部８と垂直板部６の背面との間で外部部材を保持することができる。この外部部材としては、例えば、図２に示すような仕切部材５０であってもよい。この仕切部材５０は、外部部材保持部８と垂直板部６との間で保持（挟持）される取付部５１と、前後方向（棚の奥行方向）に長い板状の仕切部５２とを有している。仕切部５２によって、商品陳列棚３０の上部領域が幅方向（図２の紙面に垂直方向）に区切られる。
【００２４】
連結部Ｃは、カード保持部Ａと取付部Ｂ１，Ｂ２との間に設けられ、取付部Ｂ１，Ｂ２に対してカード保持部Ａを、図２の矢印Ｓ１で示すように上下方向に揺動可能に連結する部分である。本例では、連結部Ｃは、カード保持部Ａの背板部４の上端部分と取付部Ｂ２の水平板部５の前端部分との間の部分（言い換えれば、突出部Ｄの基端と取付保持部９の基端との間の部分）である。この連結部Ｃは、本例では、他の部分（Ａ、Ｂ１，Ｂ２，Ｄ）とは異なる樹脂材料で形成されており、他の部分とは異なり、高い柔軟性（可撓性）を有している。これにより、商品陳列棚３０，４０の前端面３０ｆ，４０ｆに、例えば商品に関する情報のバーコードが貼付されている場合に、店員等がカード保持部Ａを手で上方へ揺動（回動）させて、バーコードリーダを用いてバーコードの情報を容易に読み取ることができる。
【００２５】
突出部Ｄは、カード保持部Ａ（ここでは背板部４）から取付部Ｂ２（ここでは取付保持部９）に向かって突出して設けられている。この突出部Ｄは、図２、図３に示すように、取付部Ｂ１，Ｂ２が商品陳列棚３０，４０に取り付けられた状態のときに、取付保持部９と当接し、カード保持部Ａがその上端から下端に向かうにつれて前方寄りの位置となって傾斜するようにカード保持部Ａを支持するようになっている。よって、カード保持部Ａは、その上端よりも下端の方が前方の位置となるように、傾斜させられている。
【００２６】
商品陳列棚３０，４０は、棚に置かれた商品を顧客が見やすいように、顧客（例えば大人）の頭部より低い位置であることが多い。よって、顧客は、通常、斜め上方からカード保持部Ａに保持されたカード２０を見ることが多い。本実施形態では、突出部Ｄが設けられていることによりカード保持部Ａを傾斜させることができ、カード保持部Ａが垂直な状態に比べ、カード２０の記載情報を見やすくできる。よって、カード２０の記載情報の視認性の向上を図ることができる。
【００２７】
本実施形態では、突出部Ｄがカード保持部Ａから取付部Ｂ２に向かって突出して設けられているが、突出部Ｄは、取付部Ｂ２からカード保持部Ａに向かって突出して設けられていてもよい。例えば、突出部Ｄは、取付保持部９から背板部４に向かって突出して設けられていてもよい。なお、突出部Ｄの形状は適宜変更されてもよい。
【００２８】
また、本実施形態では、２つの取付部Ｂ１，Ｂ２を備えているが、いずれか一方のみを備えた構成も可能である。例えば、取付部Ｂ１のみを備える場合には、水平板部５及び取付保持部９を無くして、垂直板部６の上端部分に連結部Ｃが接続されるように構成してもよい。この場合、突出部Ｄは、背板部４から垂直板部６に向かって突出して設けられていてもよいし、垂直板部６から背板部４に向かって突出して設けられていてもよい。本実施形態のように、２つの取付部Ｂ１，Ｂ２を備えていることにより、異なる種類の商品陳列棚に容易に取り付けることができ、汎用性を高めることができる。
【００２９】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００３０】
本考案は、商品陳列棚に取り付けたときに、カードの記載情報の視認性の向上を図ることができるポップケース等として有用である。
【符号の説明】
【００３１】
Ａ  カード保持部
Ｂ１，Ｂ２  取付部
Ｃ  連結部
Ｄ  突出部
１  ポップケース
５  水平板部
６  垂直板部
９  取付保持部
３０，４０  商品陳列棚
３１  溝
４１  縁部
４２  棒状部材
【図１】
0003216971.tif 000003
【図２】
0003216971.tif 000004
【図３】
0003216971.tif 000005